【手続補正書】
【提出日】平成26年10月28日(2014.10.28)
【手続補正１】
【補正対象書類名】特許請求の範囲
【補正対象項目名】全文
【補正方法】変更
【補正の内容】
【特許請求の範囲】
【請求項１】
マルチモーダルな電話の呼を確立するために、第１のコンピューティングデバイスにおいて実施される方法であって、
前記第１のコンピューティングデバイスが、第２のコンピューティングデバイスから電話の呼を受けるステップと、
前記第１のコンピューティングデバイスが、前記第１のコンピューティングデバイスと前記第２のコンピューティングデバイスとの間のテレフォニーセッションが確立したと、前記第２のコンピューティングデバイスに対しレスポンスを送るステップと、
前記第１のコンピューティングデバイスが、データセッションのために前記第１のコンピューティングデバイスをオンラインレジストリサービスに登録するため、リクエストメッセージを送るステップであって、登録するための前記リクエストメッセージは、前記第１のコンピューティングデバイスに関連付けられた電話番号及び前記第２のコンピューティングデバイスに関連付けられた電話番号を含み、前記第１及び第２のコンピューティングデバイスに関連付けられた前記電話番号は、前記オンラインレジストリサービスにより、前記第１及び第２のコンピューティングデバイスに関連付けられた前記電話番号と、前記オンラインレジストリサービスで受けた、登録するための他のリクエストメッセージに含まれる電話番号との一致をとるために利用される、ステップと、
前記第１のコンピューティングデバイスが、前記第１のコンピューティングデバイスが前記オンラインレジストリサービスサービスにおいて登録されたことを示すレスポンスメッセージを受けるステップであって、前記レスポンスメッセージは、前記データセッションを一意に特定するキーを含む、ステップと、
前記第１のコンピューティングデバイスが、前記第２のコンピューティングデバイスと前記データセッションの確立をするために前記キーを使用するステップと
を含む方法。
【請求項２】
請求項１に記載の方法であって、前記第１のコンピューティングデバイスはクライアントコンピューターである、方法。
【請求項３】
請求項１に記載の方法であって、前記第１のコンピューティングデバイスはサーバーコンピューターである、方法。
【請求項４】
請求項１に記載の方法であって、前記第２のコンピューティングデバイスは携帯電話又はサーバーコンピューターである、方法。
【請求項５】
請求項１に記載の方法であって、前記データセッションのために前記第１のコンピューティングデバイスを前記オンラインレジストリサービスに登録するため、前記リクエストメッセージを送るステップは、第１の電話番号と第２の電話番号を前記リクエストメッセージに含めるステップをさらに含み、前記第１の電話番号は前記第２のコンピューティングデバイスの電話番号であり、前記第２の電話番号は前記第１のコンピューティングデバイスの電話番号である、方法。
【請求項６】
請求項５に記載の方法であって、前記第１の電話番号及び前記第２の電話番号は、連結された文字列として前記リクエストメッセージに含まれる、方法。
【請求項７】
請求項５に記載の方法であって、前記リクエストメッセージは、前記オンラインレジストリサービスの完全修飾ドメイン名をさらに含む、方法。
【請求項８】
請求項１に記載の方法であって、前記キーは、１つ又は複数の数又はアルファベット文字を含む、方法。
【請求項９】
請求項１に記載の方法であって、前記第２のコンピューティングデバイスと前記データセッションの確立をするために前記キーを使用することは、前記第１のコンピューティングデバイスから前記第２のコンピューティングデバイスに送られる１つ又は複数のデータメッセージ中に前記キーを含めるステップをさらに含む、方法。
【請求項１０】
請求項１に記載の方法であって、前記第２のコンピューティングデバイスとの前記テレフォニーセッションを終了させるステップと、前記オンラインレジストリサービスに前記データセッションを終了させるためメッセージを送るステップとをさらに含む方法。
【請求項１１】
マルチモーダルな電話の呼を確立するために、第１のコンピューティングデバイスにおいて実施される方法であって、
前記第１のコンピューティングデバイスが、第２のコンピューティングデバイスのためにデータセッションを登録するため、前記第２のコンピューティングデバイスから第１のリクエストメッセージを受けるステップであって、前記第１のリクエストメッセージは第１の電話番号と第２の電話番号とを含む、ステップと、
前記第１のコンピューティングデバイスが、第３のコンピューティングデバイスのために前記データセッションを登録するため、第２のリクエストメッセージを受けるステップであって、前記第２のリクエストメッセージは第３の電話番号と第４の電話番号とを含む、ステップと、
前記第１のコンピューティングデバイスが、前記第１のリクエストメッセージ内の前記第１及び第２の電話番号が他の受けたリクエストメッセージ内の電話番号と一致するか判定するステップと、
前記第１のコンピューティングデバイスが、前記第２のコンピューティングデバイスからの前記電話番号と前記第３のコンピューティングデバイスからの前記電話番号とが一致すると判定されたときに、前記第２のコンピューティングデバイスと前記第３のコンピューティングデバイスとの間の前記データセッションのためのキーを作成するステップであって、前記キーは前記データセッションのための一意な識別子を提供する、ステップと
を含む方法。
【請求項１２】
請求項１１に記載の方法であって、前記第１のコンピューティングデバイスが、第１のレスポンスメッセージを前記第２のコンピューティングデバイスに送るステップをさらに含み、前記第１のレスポンスメッセージは前記キーを含む、方法。
【請求項１３】
請求項１１に記載の方法であって、前記第１のコンピューティングデバイスが、第２のレスポンスメッセージを前記第３のコンピューティングデバイスに送るステップをさらに含み、前記第２のレスポンスメッセージは前記キーを含む、方法。
【請求項１４】
請求項１１に記載の方法であって、前記第１の電話番号は前記第２のコンピューティングデバイスと関連付けられた電話番号であり、前記第２の電話番号は前記第３のコンピューティングデバイスに関連付けられた電話番号である、方法。
【請求項１５】
請求項１１に記載の方法であって、前記第３の電話番号は前記第３のコンピューティングデバイスと関連付けられた電話番号であり、前記第４の電話番号は前記第２のコンピューティングデバイスに関連付けられた電話番号である、方法。
【請求項１６】
請求項１１に記載の方法であって、前記第２のコンピューティングデバイスからの前記電話番号と前記第３のコンピューティングデバイスからの前記電話番号とが一致するかの判定は、前記第１の電話番号が前記第４の電話番号とが一致するかの判定及び前記第２の電話番号が前記第３の電話番号と一致するかの判定をさらに含む、方法。
【請求項１７】
請求項１１に記載の方法であって、前記第２のコンピューティングデバイスから前記識別子を無効にするためにメッセージを受けるステップをさらに含む方法。
【請求項１８】
請求項１７に記載の方法であって、前記第３のコンピューティングデバイスから前記識別子を無効にするためにメッセージを受けるステップをさらに含む方法。
【請求項１９】
請求項１８に記載の方法であって、前記第２のコンピューティングデバイス及び前記第３のコンピューティングデバイスを登録解除するステップをさらに含む方法。
【請求項２０】
クライアントコンピューターに、
第２のコンピューティングデバイスからの電話の呼を受けるステップと、
テレフォニーセッションが前記クライアントコンピューターと前記第２のコンピューティングデバイスとの間で確立したと、前記第２のコンピューティングデバイスに対しレスポンスを送るステップと、
前記クライアントコンピューターをデータセッションのためにオンラインレジストリサービスに登録するための第１のリクエストメッセージを送るステップであって、登録するための前記第１のリクエストメッセージは、前記クライアントコンピューターと関連付けられた第１の電話番号と、前記第２のコンピューティングデバイスと関連付けられた第２の電話番号とを含み、前記第１及び第２の電話番号は、前記オンラインレジストリサービスにより、前記第１及び第２の電話番号と、前記オンラインレジストリサービスで受けた、登録するための他のリクエストメッセージからの電話番号との一致をとるために利用される、ステップと、
前記クライアントコンピューターが前記オンラインレジストリサービスに登録されたことを示すレスポンスメッセージを受けるステップであって、前記レスポンスメッセージは前記データセッションを一意に特定するキーを含む、ステップと、
前記第２のコンピューティングデバイスに対してデータを送るため第２のリクエストメッセージを開始するステップであって、前記第２のリクエストメッセージは前記キーを含む、ステップと
を実行させるプログラム。